(57)【要約】【課題】大小２種類のディスクを再生することが可能なディスクプレーヤにおいて、ディスクの挿入姿勢や搬送方向を自由に選ぶことが可能なディスク保持装置を提供する。【解決手段】本発明に係るディスク保持装置は、ディスク保持ケース２２の内部に、一対のディスク挟持アーム３、３と、両ディスク挟持アーム３、３を閉じ方向に付勢するバネ７、７と、一対のディスク受け止め部材４、４と、両ディスク挟持アーム３、３を開き方向に押圧すべき挟持解除レバー５、５と、両挟持解除レバー５、５をディスク挟持アーム３、３から離間する方向に付勢するバネ７１、７１とを配備して構成されている。ディスク受け止め部材４、４は、挿入されたディスクの大小に応じて、ディスクの受け止め姿勢が切り替わり、ディスクを共通の回転軸上で受け止める。【選択図】　　　図４
2004134003.tif 000002
【特許請求の範囲】
【請求項１】
大径ディスクと小径ディスクを互換性をもって再生することが可能なディスクプレーヤにおいて、大径ディスクと小径ディスクを回転軸が同軸となる所定位置に互換性をもって保持するためのディスク保持装置であって、
ディスク挿入口を有して、大径ディスクと小径ディスクを互換性をもって収容することが可能なディスク収納室と、
ディスク収容室内の大径ディスク或いは小径ディスクを両側から挟持する方向にバネ付勢されて、該バネ付勢により、第１の挟持姿勢にて大径ディスクを挟持し、第２の挟持姿勢にて小径ディスクを挟持するディスク挟持機構と、
ディスク挿入口からディスク収容室内に挿入された大径ディスク或いは小径ディスクを受け止めることが可能であって、挿入されたディスクの大小に応じて、大径ディスクを前記所定位置で受け止めた第１の受け止め姿勢と、小径ディスクを前記所定位置で受け止めた第２の受け止め姿勢との間で、姿勢が切り替わるディスク受け止め機構と、
ディスク収容室内のディスクをターンテーブル上にチャッキングするための動作に連動して、ディスク挟持機構を前記バネ付勢に抗して押圧し、ディスクの挟持を解除するディスク挟持解除機構
とを具えていることを特徴とするディスク保持装置。
【請求項２】
ディスク挟持機構は、回動可能に枢支されて互いに開閉する一対のディスク挟持アーム（３）（３）と、両ディスク挟持アーム（３）（３）を閉じ方向に付勢するバネ（７）（７）とを具え、ディスク受け止め機構は、回動可能に枢支されて互いに開閉する一対のディスク受け止め部材（４）（４）を具え、ディスク挟持アーム（３）とディスク受け止め部材（４）の対向部には、ディスク挟持アーム（３）が第２の挟持姿勢に設定されているときは互いに係合してディスク受け止め部材（４）を第２の受け止め姿勢に拘持する一方、ディスク挟持アーム（３）が第２の挟持姿勢から第１の挟持姿勢に向かって回動する過程で前記係合が解除されてディスク受け止め部材（４）の第２の受け止め姿勢から第１の受け止め姿勢に至る回動を許容する係合構造が設けられている請求項１又は請求項２に記載のディスク保持装置。
【請求項３】
前記一対のディスク挟持アーム（３）（３）は、左右対称に開閉させるための同期回転機構を介して互いに連結されている請求項２に記載のディスク保持装置。
【請求項４】
ローディング機構によって排出位置と再生位置の間を往復駆動されるディスク保持ケース（２２）の内部に、前記ディスク収容室が形成されると共に、前記ディスク挟持機構、ディスク受け止め機構及びディスク解除機構が配備されている請求項１乃至請求項３の何れかに記載のディスク保持装置。
【請求項５】
ディスク挟持解除機構は、ディスク挟持機構に対して接近離間可能に取り付けられて、基端部（５１）がディスク保持ケース（２２）の壁面を貫通する挟持解除レバー（５）と、該挟持解除レバー（５）をディスク挟持機構から離間する方向に付勢するバネ（７１）とを具え、ディスク保持ケース（２２）の再生位置への移動に伴って挟持解除レバー（５）の基端部（５１）が外壁によって押し上げられる請求項４に記載のディスク保持装置。
【発明の詳細な説明】
【０００１】
【発明の属する技術分野】
本発明は、大径ディスクと小径ディスクを互換性をもって再生することが可能なディスクプレーヤに関するものである。
【０００２】
【従来の技術】
従来、ディスクプレーヤにおいては、キャビネットの前面に開口を形成して、該開口に水平のトレイを出没可能に配備し、該トレイを排出位置と再生位置の間で往復駆動することによって、トレイ上のディスクを再生位置に向けて搬送するディスク搬送装置が装備されている（例えば特許文献１参照）。
又、キャビネットの前面にディスク挿入口を形成すると共に、該挿入口の奥部に、ディスクを挟持することが可能な一対の駆動ローラを配備して、挿入口へ挿入されたディスクを一対の駆動ローラによって再生位置に向けて搬送するディスク搬送装置が知られている（例えば特許文献２参照）。
【０００３】
【特許文献１】
特開平５−２６６５６３号公報
【特許文献２】
特公平６−４８５７３号公報
【０００４】
【発明が解決しようとする課題】
ところで、オーディオ再生用のディスクプレーヤにおいては、記録媒体となるディスクとして、直径１２ｃｍの大径ディスクと直径８ｃｍの小径ディスクが提供されており、この大小２種類のディスクを互換性をもって再生することが必要となる。
そこで、ディスクトレイを具えたディスク搬送装置においては、トレイの表面に大径ディスクの載置部を形成すると共に、該載置部の内側に段差を有して小径ディスクの載置部を形成している。これによって、大径ディスクと小径ディスクは互換性をもって同軸上に位置決めされることになる。
【０００５】
しかしながら、ディスクトレイによってディスクを搬送するディスクプレーヤにおいては、トレイを水平に設置する必要があるため、ディスクを水平姿勢で水平方向に搬送するローディング方式に限定され、例えばディスクを垂直姿勢で垂直方向に搬送するローディング方式を採用することが出来ない問題がある。
【０００６】
これに対して、ローラによってディスクを搬送するディスクプレーヤにおいては、ディスクの挿入姿勢や搬送方向を自由に選ぶことは可能であるが、このローディング方式では、外径の異なる２種類のディスクを互換性をもって搬送する構成において、特に小径ディスクの搬送過程にてディスクに位置ずれが生じ易く、ディスクをターンテーブル上に芯ずれなく位置決めすることが困難である問題があった。
【０００７】
そこで本発明の目的は、大小２種類のディスクを互換性をもって再生することが可能なディスクプレーヤにおいて、ディスクの挿入姿勢や搬送方向を自由に選ぶことが可能であり、然も、２種類のディスクを回転軸が同軸となる所定位置に正確に位置決めすることが可能なディスク保持装置を提供することである。
【０００８】
【課題を解決する為の手段】
本発明に係るディスク保持装置は、
ディスク挿入口を有して、大径ディスクと小径ディスクを互換性をもって収容することが可能なディスク収納室と、
ディスク収容室内の大径ディスク或いは小径ディスクを両側から挟持する方向にバネ付勢されて、該バネ付勢により、第１の挟持姿勢にて大径ディスクを挟持し、第２の挟持姿勢にて小径ディスクを挟持するディスク挟持機構と、
ディスク挿入口からディスク収容室内に挿入された大径ディスク或いは小径ディスクを、回転軸が同軸となる所定位置で受け止めることが可能であって、挿入されたディスクの大小に応じて、大径ディスクを前記所定位置で受け止めた第１の受け止め姿勢と、小径ディスクを前記所定位置で受け止めた第２の受け止め姿勢との間で、姿勢が切り替わるディスク受け止め機構と、
ディスク収容室内のディスクをターンテーブル上にチャッキングするための動作に連動して、ディスク挟持機構を前記バネ付勢に抗して押圧し、ディスクの挟持を解除するディスク挟持解除機構
とを具えている。
【０００９】
上記本発明のディスク保持装置においては、ディスク挿入口（２１）からディスク収容室内に大径ディスク（８１）又は小径ディスク（８２）を挿入すると、ディスク挟持機構は、該ディスクの挿入に伴ってバネ付勢に抗して一旦開き、該ディスクを受け入れた後、バネ付勢によって閉じ、該ディスクの外周縁を両側から挟持する。この結果、ディスク挟持機構は、大径ディスク（８１）の場合は第１の挟持姿勢をとり、小径ディスク（８２）の場合は第２の挟持姿勢をとることになる。
又、ディスク受け止め機構は、ディスク挿入口（２１）から挿入されたディスクを所定位置で受け止める。ここで、ディスク受け止め機構は、ディスクの大小に応じてディスク受け止め姿勢が切り替わり、大径ディスク（８１）の場合は第１の受け止め姿勢をとり、小径ディスク（８２）の場合は第２の受け止め姿勢をとることになる。
【００１０】
この結果、大径ディスク（８１）又は小径ディスク（８２）は、ディスク挟持機構によって挟持されると共にディスク受け止め機構によって受け止められ、ディスク収容室内の所定位置、即ち大径ディスク（８１）の場合と小径ディスク（８２）の場合で回転軸が同軸なる中心位置に保持されることになる。
その後、ディスク収容室内のディスクをターンテーブル上にチャッキングするための動作が行なわれると、この動作に連動して、ディスク挟持解除機構が動作し、ディスク挟持機構を前記バネ付勢に抗して押圧し、ディスクの挟持を解除する。この結果、ディスクはターンテーブルの回転に伴って自由に回転することが可能となる。
【００１１】
具体的構成において、ディスク挟持機構は、回動可能に枢支されて互いに開閉する一対のディスク挟持アーム（３）（３）と、両ディスク挟持アーム（３）（３）を閉じ方向に付勢するバネ（７）（７）とを具え、ディスク受け止め機構は、回動可能に枢支されて互いに開閉する一対のディスク受け止め部材（４）（４）を具え、ディスク挟持アーム（３）とディスク受け止め部材（４）の対向部には、ディスク挟持アーム（３）が第２の挟持姿勢に設定されているときは互いに係合してディスク受け止め部材（４）を第２の受け止め姿勢に拘持する一方、ディスク挟持アーム（３）が第２の挟持姿勢から第１の挟持姿勢に向かって回動する過程で前記係合が解除されてディスク受け止め部材（４）の第２の受け止め姿勢から第１の受け止め姿勢に至る回動を許容する係合構造が設けられている。
【００１２】
上記具体的構成においては、ディスク挿入口（２１）からディスク収容室内に大径ディスク（８１）又は小径ディスク（８２）を挿入すると、一対のディスク挟持アーム（３）（３）が、該ディスクの挿入に伴ってバネ（７）（７）の付勢に抗して一旦開き方向に回動し、該ディスクを受け入れた後、バネ（７）（７）の付勢によって閉じ方向に回動し、該ディスクの外周縁を両側から挟持する。この結果、一対のディスク挟持アーム（３）（３）は、大径ディスク（８１）の場合は大きく開いた第１の挟持姿勢をとり、小径ディスク（８２）の場合は小さく開いた第２の挟持姿勢をとることになる。
【００１３】
又、一対のディスク受け止め部材（４）（４）は、ディスク挿入口（２１）から挿入されたディスクを所定位置で受け止める。ここで、一対のディスク受け止め部材（４）（４）は、ディスクの大小に応じて開き角度が切り替わる。即ち、小径ディスク（８２）が挿入された場合は、ディスク挟持アーム（３）（３）が第２の挟持姿勢に設定されているので、係合構造が互いに係合しており、これによってディスク受け止め部材（４）（４）は第２の受け止め姿勢に拘持される。これに対し、大径ディスク（８１）が挿入された場合は、これに応じてディスク挟持アーム（３）（３）が第２の挟持姿勢から第１の挟持姿勢に向かって回動するので、前記係合が解除される。これによって、ディスク受け止め部材（４）（４）は、回動が自由となり、大径ディスク（８１）の挿入に応じて閉じた姿勢から第１の受け止め姿勢まで回動する。
【００１４】
この様にして、一対のディスク受け止め部材（４）（４）は、大径ディスク（８１）の場合は大きく開いた第１の受け止め姿勢とり、小径ディスク（８２）の場合は小さく開き若しくは閉じたままの第２の受け止め姿勢をとることになる。
この結果、大径ディスク（８１）又は小径ディスク（８２）は、一対のディスク挟持アーム（３）（３）によって挟持されると共に一対のディスク受け止め部材（４）（４）によって受け止められ、ディスク収容室内の中心位置に保持されることになる。
【００１５】
又、具体的構成において、前記一対のディスク挟持アーム（３）（３）は、左右対称に開閉させるための同期回転機構を介して互いに連結されている。
該具体的構成によれば、一対のディスク挟持アーム（３）（３）によって大径ディスク（８１）が挟持された場合と小径ディスク（８２）が挟持された場合で、ディスクの中心を同じ位置に設定することが出来る。
【００１６】
又、具体的構成において、ローディング機構によって排出位置と再生位置の間を往復駆動されるディスク保持ケース（２２）の内部に、前記ディスク収容室が形成されると共に、前記ディスク挟持機構、ディスク受け止め機構及びディスク解除機構が配備されている。
該具体的構成においては、ディスク保持ケース（２２）の排出位置にて、ディスク挿入口（２１）からディスクが挿入された後、該ディスク保持ケース（２２）は、再生位置まで搬送される。この搬送の最終段階で、ケース内のディスクがターンテーブル上にチャッキングされることになる。
【００１７】
更に具体的な構成において、ディスク挟持解除機構は、ディスク挟持機構に対して接近離間可能に取り付けられて、基端部（５１）がディスク保持ケース（２２）の壁面を貫通する挟持解除レバー（５）と、該挟持解除レバー（５）をディスク挟持機構から離間する方向に付勢するバネ（７１）とを具え、ディスク保持ケース（２２）の再生位置への移動に伴って挟持解除レバー（５）の基端部（５１）が外壁によって押圧される。
【００１８】
該具体的構成においては、ディスク保持ケース（２２）が再生位置に向かって搬送される最終段階で、挟持解除レバー（５）の基端部（５１）が外壁によって押し上げられ、挟持解除レバー（５）は、バネ付勢に抗してディスク挟持機構側へ移動し、ディスク挟持機構を押圧してディスクの挟持を解除せしめる。従って、ディスク挟持機構がディスク回転の支障になることはない。
【００１９】
【発明の効果】
本発明に係るディスク保持装置によれば、挿入されたディスクの大小に拘わらず、該ディスクはディスク挟持機構によって挟持された状態で、排出位置から再生位置まで搬送されるので、ディスクの挿入姿勢や搬送方向を自由に選ぶことが出来る。又、ディスク受け止め機構によって、挿入されたディスクの大小に拘わらず、該ディスクは回転軸が同軸となる所定位置に受け止められ、保持されるので、大小何れのディスクであっても、ターンテーブル上に芯ずれなくチャッキングすることが出来る。
【００２０】
【発明の実施の形態】
以下、本発明の実施の形態につき、図面に沿って具体的に説明する。
全体構成
本発明に係るディスクプレーヤは、図１及び図２に示す如く、キャビネット（８）の上面に開口（８１）を有し、該開口（８１）の奥部に設置された筐体（１）に、ディスク保持ユニット（２）が昇降可能に取り付けられており、該ディスク保持ユニット（２）によって、直径１２ｃｍの大径ディスクと直径８ｃｍの小径ディスクを互換性をもって保持することが出来る。
【００２１】
ディスク保持ユニット（２）は、図１の如くキャビネット（８）内に収容されたディスク再生位置と、図２の如く開口（８１）から突出したディスク排出位置との間で往復駆動され、図２に示すディスク排出位置にて、ディスク保持ユニット（２）のディスク挿入口（２１）へディスクを挿入することが可能である。
筐体（１）には、ディスクチャック機構（１６）が配備されており、図１に示すディスク再生位置にて、ディスク保持ユニット（２）内のディスクがターンテーブル上にチャッキングされる。
【００２２】
ディスク搬送機構
図３（ａ）（ｂ）に示す如く、筐体（１）には、モータ（１１）を動力源とする歯車機構（１２）が配備されると共に、該歯車機構（１２）と噛合するラック部材（１３）が昇降可能に配備されており、該ラック部材（１３）に対してディスク保持ユニット（２）が連結されている。
従って、モータ（１１）の回転が歯車機構（１２）に伝えられ、ラック部材（１３）が昇降駆動されることによって、ディスク保持ユニット（２）が、図３（ａ）に示すディスク再生位置と、図３（ｂ）に示すディスク排出位置との間で往復移動する。
図３（ａ）に示すディスク再生位置では、ディスク保持ユニット（２）内に収容されている大径ディスク（８１）又は小径ディスク（８２）は、ターンテーブル（１４）上に芯ずれを生じることなく位置決めされ、該ディスクの半径線上を光学式ピックアップ（１５）が正確に移動することになる。
【００２３】
ディスク挟持機構
図４に示す如く、ディスク保持ユニット（２）は、ディスク挿入口（２１）を有するディスク保持ケース（２２）を具え、該ディスク保持ケース（２２）内には、ディスクの外周縁を両側から挟持するための左右一対のディスク挟持アーム（３）（３）が、開閉方向の回動が可能に配備されている。両ディスク挟持アーム（３）（３）の先端部にはそれぞれローラ（３１）が取り付けられている。
又、ディスク保持ケース（２２）内には、両ディスク挟持アーム（３）（３）を閉じ方向に付勢する左右一対の第１トーションバネ（７）（７）が配備されている。
【００２４】
ディスク挟持アーム（３）は、図５に示す如く円弧状に伸びる第１アーム部（３７）に第２アーム部（３８）を突設してなり、該第２アーム部（３８）の中央部に軸受け部（３３）が形成されると共に、第１アーム部（３７）から離間する方向へ突出する突片（３６）が形成されている。又、第１アーム部（３７）の基端部（３９）には扇型ギア（３２）が形成されている。更に、ディスク挟持アーム（３）の裏面には、図６に示す如く、扇型ギア（３２）と軸受け部（３３）の間に、外形が略三角形の凸部（３４）が形成されている。一方、ディスク保持ケース（２２）には、ディスク挟持アーム（３）（３）の軸受け部（３３）（３３）を枢支する左右一対の枢軸（２３）（２３）が突設されると共に、ディスク挟持アーム（３）（３）の閉じ方向の回動端を規制するための左右一対のストッパー（２６）（２６）が形成されている。
【００２５】
図４に示す如く、左右一対のディスク挟持アーム（３）（３）の間には、互いに噛合する左右一対の連結歯車（６）（６）が配備され、両アーム（３）（３）の扇型ギア（３２）（３２）と噛合している。これによって、左右一対のディスク挟持アーム（３）（３）は互いに逆方向に同期回転して、左右対称に開閉することになる。
【００２６】
上記ディスク挟持機構においては、図７の如くディスクが挿入されていない状態で、左右一対のディスク挟持アーム（３）（３）が第１トーションバネ（７）（７）によって閉じ方向に付勢されて、ディスク保持ケース（２２）に形成されたストッパーに当接し、図示の如く閉じた姿勢に保持されている。
この状態から図９の如く大径ディスク（８１）が挿入され、或いは図１３の如く小径ディスク（８２）が挿入されると、該ディスクによってディスク挟持アーム（３）（３）のローラ（３１）（３１）が押圧されて、ディスク挟持アーム（３）（３）が第１トーションバネ（７）（７）に抗して一旦押し開かれ、ディスクを受け入れる。そして、ディスクの中心が、両ディスク挟持アーム（３）（３）のローラ（３１）（３１）を互いに繋ぐ直線を越えると、ディスク挟持アーム（３）（３）が第１トーションバネ（７）（７）の付勢によって僅かに閉じ、ディスクは、両ディスク挟持アーム（３）（３）によって抱え込まれ、外周縁を両側から挟持される。
【００２７】
ディスク受け止め機構
図４に示す如く、ディスク保持ユニット（２）のディスク保持ケース（２２）内には、ディスク挿入口（２１）から挿入されたディスクを受け止めるための左右一対のディスク受け止め部材（４）（４）が、開閉方向の回動が可能に配備されている。
【００２８】
ディスク受け止め部材（４）は、図５に示す如く直線上を伸びる本体（４５）を具え、該本体（４５）には、その基端部に軸受け部（４３）が形成されると共に、その先端部（４１）と軸受け部（４３）の中間位置に、両側へ向かって突出する突片（４２）（４２）が形成されている。又、該本体（４５）の表面には、先端部（４１）に向かって突出する台形状の凸部（４４）が形成されている。
【００２９】
一方、ディスク保持ケース（２２）には、図６に示す如く、ディスク受け止め部材（４）（４）の軸受け部（４３）（４３）を枢支する左右一対の枢軸（２４）（２４）が突設されると共に、ディスク受け止め部材（４）（４）の閉じ方向の回動端を規制するための左右一対のストッパー（２５）（２５）と、ディスク受け止め部材（４）（４）の開き方向の回動端を規制するための左右一対のストッパー（図示省略）が形成されている。
【００３０】
上記ディスク受け止め機構においては、図７の如くディスクが挿入されていない状態で、左右一対のディスク受け止め部材（４）（４）は、それぞれの先端部（４１）がディスク保持ケース（２２）の前記ストッパー（２５）に当接して、図示の如く閉じた姿勢に保持されている。
この状態で、図１３の如くディスク保持ケース（２２）内に小径ディスク（８２）が挿入されたときは、図１４の如く各ディスク受け止め部材（４）の凸部（４４）がディスク挟持アーム（３）の凸部（３４）と係合して、両ディスク受け止め部材（４）（４）は開き方向の回動が阻止されている。この結果、両ディスク受け止め部材（４）（４）の先端部（４１）（４１）によって小径ディスク（８２）が受け止められ、小径ディスク（８２）はディスク保持ケース（２２）内の所定位置、即ち、大径ディスク（８１）が挿入された場合と同軸の中心位置に保持されることになる。
【００３１】
これに対し、図９の如くディスク保持ケース（２２）内に大径ディスク（８１）が挿入されたときは、両ディスク挟持アーム（３）（３）の開き動作に伴って、図１０の如く各ディスク挟持アーム（３）の凸部（３４）が上方へ変位するため、ディスク受け止め部材（４）の凸部（４４）との係合が解除される。この結果、各ディスク受け止め部材（４）の開き方向の回動が許容されて、図９の如く大径ディスク（８１）によって両ディスク受け止め部材（４）（４）が押し開かれることになる。
その後、ディスク受け止め部材（４）（４）は、先端部（４１）（４１）が前記ストッパーによって受け止められ、図９の如く所定角度だけ開いた状態に保持される。
上述のディスク受け止め部材（４）（４）の開き方向の回動に伴って、大径ディスク（８１）は更に下降し、最終的にディスク受け止め部材（４）（４）が前記ストッパーによって受け止められた時点で、ディスク保持ケース（２２）内の所定位置、即ち、小径ディスク（８２）が挿入された場合と同軸の中心位置に保持されることになる。
【００３２】
ディスク挟持解除機構
図４に示す如く、ディスク保持ユニット（２）のディスク保持ケース（２２）内には、ディスク挟持アーム（３）（３）によるディスクの挟持を解除して、ディスクの回転を自由とするための左右一対の挟持解除レバー（５）（５）が昇降可能に配備され、ディスク保持ケース（２２）に設けたガイド（図示省略）によって昇降移動が案内されている。
又、ディスク保持ケース（２２）内には、両挟持解除レバー（５）（５）を下方へ向けて付勢する左右一対の第２トーションバネ（７１）（７１）が配備されている。
【００３３】
挟持解除レバー（５）は、図５及び図６に示す如く基端部（５１）から先端部（５２）へ向かって直線上を伸びる本体（５４）の両側に、Ｌ字状の押圧片（５３）（５３）を突設してなり、本体（５４）の基端部（５１）は、図４に示す如く、ディスク保持ケース（２２）の底壁（２７）から下方へ突出している。
【００３４】
上記ディスク挟持解除機構においては、図９の如くディスク保持ケース（２２）内に大径ディスク（８１）が保持され、或いは図１３の如くディスク保持ケース（２２）内に小径ディスク（８２）が保持された状態で、ディスク保持ユニット（２）が前記ディスク搬送機構の駆動によって筐体（１）内を下降すると、その最終段階で、図１１或いは図１５に示す如く、両挟持解除レバー（５）（５）の基端部（５１）（５１）が筐体（１）の外壁（１７）によって押し上げられ、両挟持解除レバー（５）（５）はディスク保持ケース（２２）内で相対的に上方へ移動することになる。
【００３５】
この結果、ディスク保持ケース（２２）内に大径ディスク（８１）が収容されている場合は、図１２に示す如く、挟持解除レバー（５）の外側の押圧片（５３）が、ディスク挟持アーム（３）の突片（３６）の外側面を押圧して、ディスク挟持アーム（３）を第１トーションバネ（７）に抗して開き方向に僅かに回動させ、この状態を維持する。このディスク挟持アーム（３）の回動に伴って、ローラ（３１）が大径ディスク（８１）の外周縁から離間して、大径ディスク（８１）の回転を自由なものとする。又、挟持解除レバー（５）の先端部（５２）がディスク受け止め部材（４）の外側の突片（４２）に係合して、ディスク受け止め部材（４）をロックする。
【００３６】
一方、ディスク保持ケース（２２）内に小径ディスク（８２）が収容されている場合は、図１６に示す如く、挟持解除レバー（５）の内側の押圧片（５３）がディスク挟持アーム（３）の基端部（３９）を押圧して、ディスク挟持アーム（３）を第１トーションバネ（７）に抗して開き方向に僅かに回動させ、この状態を維持する。このディスク挟持アーム（３）の回動に伴って、ローラ（３１）が小径ディスク（８２）の外周縁から離間して、小径ディスク（８２）の回転を自由なものとする。
【００３７】
又、ディスク保持ユニット（２）の降下の最終段階で、前記ディスクチャック機構（１６）のチャッキング動作が行なわれ、図１１或いは図１５に示す如くディスク保持ユニット（２）が下降端に達した時点で、大径ディスク（８１）或いは小径ディスク（８２）は、図３（ａ）に示すターンテーブル（１４）上にチャッキングされて、信号再生が可能な状態となる。
【００３８】
上記本発明のディスクプレーヤにおいては、ディスク保持ケース（２２）内に挿入されたディスクの大小に拘わらず、該ディスクは一対のディスク挟持アーム（３）（３）によって挟持された状態で、図３（ｂ）に示す排出位置から図３（ａ）に示す再生位置まで搬送されるので、ディスクの挿入姿勢や搬送方向を自由に選ぶことが出来る。例えば、ディスクを垂直に立てた姿勢で水平方向に挿入し、排出位置から再生位置まで水平方向に搬送するディスクプレーヤを構成することが可能である。
【００３９】
又、上記本発明のディスクプレーヤにおいては、ディスク保持ケース（２２）内に挿入されたディスクの大小に拘わらず、該ディスクは一対のディスク挟持アーム（３）（３）によって両側から挟持されると共に一対のディスク受け止め部材（４）（４）によって受け止められて、回転軸が同軸となる所定位置に保持され、この状態で排出位置から再生位置まで搬送されるので、途中でディスクの位置がずれる虞はない。従って、大小何れのディスクであっても、ターンテーブル（１４）上に芯ずれなくチャッキングすることが出来る。
【図面の簡単な説明】
【図１】本発明に係るディスクプレーヤにおいてディスク保持ユニット収納状態を示す斜視図である。
【図２】本発明に係るディスクプレーヤにおいてディスク保持ユニット排出状態を示す斜視図である。
【図３】ディスク保持ユニットの収納状態と排出状態を示す正面図である。
【図４】ディスク保持ユニットの構造を示す一部破断正面図である。
【図５】ディスク保持ユニットを正面側から見た分解斜視図である。
【図６】ディスク保持ユニットを背面側から見た分解斜視図である。
【図７】ディスク保持ユニットのディスク未挿入状態における内部機構を透視して示す正面図である。
【図８】図７の要部を拡大して示す図である。
【図９】ディスク保持ユニットの大径ディスク挿入状態における内部機構を透視して示す正面図である。
【図１０】図９の要部を拡大して示す図である。
【図１１】ディスク保持ユニットの大径ディスク再生状態における内部機構を透視して示す正面図である。
【図１２】図１１の要部を拡大して示す図である。
【図１３】ディスク保持ユニットの小径ディスク挿入状態における内部機構を透視して示す正面図である。
【図１４】図１３の要部を拡大して示す図である。
【図１５】ディスク保持ユニットの小径ディスク再生状態における内部機構を透視して示す正面図である。
【図１６】図１５の要部を拡大して示す図である。
【符号の説明】
（１）　筐体
（１７）　外壁
（２）　ディスク保持ユニット
（２１）　ディスク挿入口
（２２）　ディスク保持ケース
（２３）　枢軸
（２４）　枢軸
（３）　ディスク挟持アーム
（３１）　ローラ
（３３）　軸受け部
（３４）　凸部
（４）　ディスク受け止め部材
（４２）　突片
（４３）　軸受け部
（４４）　凸部
（５）　挟持解除レバー
（５３）　押圧片
（６）　連結歯車
（７）　第１トーションバネ
（７１）　第２トーションバネ
（８１）　大径ディスク
（８２）　小径ディスク
【図１】
2004134003.tif 000003
【図２】
2004134003.tif 000004
【図３】
2004134003.tif 000005
【図４】
2004134003.tif 000006
【図５】
2004134003.tif 000007
【図６】
2004134003.tif 000008
【図７】
2004134003.tif 000009
【図８】
2004134003.tif 000010
【図９】
2004134003.tif 000011
【図１０】
2004134003.tif 000012
【図１１】
2004134003.tif 000013
【図１２】
2004134003.tif 000014
【図１３】
2004134003.tif 000015
【図１４】
2004134003.tif 000016
【図１５】
2004134003.tif 000017
【図１６】
2004134003.tif 000018